(57)【要約】【課題】デマンド制御を終了したときに消費電力がしきい値を超えてしまったり、あるいはデマンド制御の終了と開始が短時間の間に繰り返されるといった不具合の発生を防ぐ。【解決手段】制御手段たる制御部１０は、デマンド制御を実行している環境調整機器の削減見込電力と電力計測装置５で計測される電力の和がしきい値よりも少なく、且つ環境計測装置４の計測値が環境調整機器で消費される電力を減らす向きに変化している場合に環境調整機器に対するデマンド制御を終了する。その結果、デマンド制御を終了したときに消費電力がしきい値を超えてしまったり、あるいはデマンド制御の終了と開始が短時間の間に繰り返されるといった不具合の発生を防ぐことができる。【選択図】        図１
2009225629.tif 000002
【特許請求の範囲】
【請求項１】
屋内の環境を調整する複数の環境調整機器と、屋外の環境を計測する環境計測装置と、環境調整機器が消費する電力を計測する電力計測装置と、電力計測装置で計測される電力に基づいて需要電力を予測し、当該需要電力が所定のしきい値を超えないように環境調整機器をデマンド制御するデマンド制御装置とを備え、
デマンド制御装置は、環境計測装置の計測値並びに電力計測装置で計測される電力を計測された時刻に対応付けて記憶する第１の記憶手段と、複数の環境調整機器に対してデマンド制御が行われる優先度、現在のデマンド制御の状況、デマンド制御によって削減されると見込まれる見込電力を複数の環境調整機器毎に記憶した第２の記憶手段と、電力計測装置で計測される電力に基づいて需要電力を予測する予測手段と、予測手段の予測値が所定のしきい値を超えるときに第２の記憶手段に記憶されている優先度に応じて何れかの環境調整機器に対するデマンド制御を実行する制御手段とを具備し、
制御手段は、デマンド制御を実行している環境調整機器の見込電力と電力計測装置で計測される電力の和が前記しきい値よりも少なく、且つ環境計測装置の計測値が当該環境調整機器で消費される電力を減らす向きに変化している場合に前記環境調整機器に対するデマンド制御を終了することを特徴とするデマンド制御システム。
【請求項２】
環境調整機器として除霜機能を有する冷凍機を備え、デマンド制御装置の制御手段は、デマンド制御を実行している冷凍機が除霜機能を利用したときの電力の増加分と電力計測装置で計測される電力の和が前記しきい値よりも少なく、且つ環境計測装置の計測値が当該冷凍機で消費される電力を減らす向きに変化している場合に前記冷凍機に除霜機能を利用させることを特徴とする請求項１記載のデマンド制御システム。
【請求項３】
環境調整機器として蓄熱型の温熱環境調整機器を備え、デマンド制御装置の制御手段は、環境計測装置の計測値が当該空調機器で消費される電力を増やす向きに変化している場合に前記空調機器に蓄熱されたエネルギを利用させることを特徴とする請求項１又は２記載のデマンド制御システム。
【請求項４】
予め決められた時刻に点灯／消灯するタイマ機能を有して屋外を照明する屋外照明機器を備え、デマンド制御装置の制御手段は、前記屋外照明機器がタイマ機能によって点灯したときの電力の増加分と電力計測装置で計測される電力の和が前記しきい値よりも少なく、且つ環境計測装置の計測値が環境調整機器で消費される電力を減らす向きに変化している場合に前記屋外照明機器にタイマ機能を利用させることを特徴とする請求項１〜３の何れか１項に記載のデマンド制御システム。
【請求項５】
デマンド制御装置の制御手段は、屋外照明機器にタイマ機能を利用させなかった場合にタイマ機能における点灯時刻を修正することを特徴とする請求項４記載のデマンド制御システム。
【発明の詳細な説明】
【技術分野】
【０００１】
本発明は、空調機器や照明機器などの環境調整機器の需要（消費）電力（デマンド）が契約電力を超えないように各機器の動作を制御するデマンド制御システムに関するものである。
【背景技術】
【０００２】
近年、エネルギコストを削減するために、需要家自らがデマンド（需要電力）を予測し、需要電力（デマンドメータで計測される３０分間の積算値）が契約電力を超えないように機器（空調機器や照明機器などの環境調整機器）を制御するデマンド制御（電力デマンド制御）を行うデマンド制御システムが普及してきている（例えば、特許文献１参照）。
【０００３】
従来のデマンド制御システムでは、需要電力の予測値が所定のしきい値を超える場合に空調機器の設定温度を変更（冷房運転時では設定温度を高く、暖房運転時では設定温度を低く）したり、照明機器の調光レベルを下げることで空調機器あるいは照明機器の消費電力を減少させている。
【０００４】
ここで、デマンド制御が行われている間は空調機器の温度が変更されたり、照明機器の調光レベルが下げられているため、温度環境（冷房温度又は暖房温度）や照明環境（照度）が快適でなくなる可能性が高い。従って、デマンド制御中に需要電力の予測値がしきい値を下回った場合、可能な限り、デマンド制御を終了して環境調整機器を通常の動作状態に戻すことが望ましい。そのために特許文献１に記載されている従来例では、現在の消費電力とデマンド制御が実行されている環境調整機器のデマンド制御を終了した場合に増加すると見込まれる需要電力との和をしきい値と比較し、しきい値を超えない場合にのみ当該環境調整機器のデマンド制御を終了するようにしている。
【特許文献１】特開２００７−２３６０３８号公報（段落００６８〜００７４及び図９参照）
【発明の開示】
【発明が解決しようとする課題】
【０００５】
ところで、特許文献１に記載されている従来例では、デマンド制御を終了するか否かの判断において、現在の消費電力（需要電力）に対してデマンド制御を終了した場合にどれだけ需要電力が増加するかという点しか考慮されていない。しかしながら、温度や照度などの環境変数は屋外の環境（屋外温度や屋外照度）によって変動するものであり、例えば、空調機器に対して冷房運転時の温度を高く変更するデマンド制御が行われている場合において、デマンド制御を終了した場合の需要電力の増加分は屋外温度が上昇しているときと下降しているときとでは明らかに差が生じる。故に、屋外の環境変化を考慮せずにデマンド制御を終了する上記従来例では、デマンド制御を終了して環境調整機器を通常の動作状態に復帰させたときに需要電力がしきい値を超えてしまったり、あるいはデマンド制御の終了と開始が短時間の間に繰り返されるといった不具合の生じる虞があった。
【０００６】
本発明は上記事情に鑑みて為されたものであり、その目的は、デマンド制御を終了したときに消費電力がしきい値を超えてしまったり、あるいはデマンド制御の終了と開始が短時間の間に繰り返されるといった不具合の発生を防ぐことができるデマンド制御システムを提供することにある。
【課題を解決するための手段】
【０００７】
請求項１の発明は、上記目的を達成するために、屋内の環境を調整する複数の環境調整機器と、屋外の環境を計測する環境計測装置と、環境調整機器が消費する電力を計測する電力計測装置と、電力計測装置で計測される電力に基づいて需要電力を予測し、当該需要電力が所定のしきい値を超えないように環境調整機器をデマンド制御するデマンド制御装置とを備え、デマンド制御装置は、環境計測装置の計測値並びに電力計測装置で計測される電力を計測された時刻に対応付けて記憶する第１の記憶手段と、複数の環境調整機器に対してデマンド制御が行われる優先度、現在のデマンド制御の状況、デマンド制御によって削減されると見込まれる見込電力を複数の環境調整機器毎に記憶した第２の記憶手段と、電力計測装置で計測される電力に基づいて需要電力を予測する予測手段と、予測手段の予測値が所定のしきい値を超えるときに第２の記憶手段に記憶されている優先度に応じて何れかの環境調整機器に対するデマンド制御を実行する制御手段とを具備し、制御手段は、デマンド制御を実行している環境調整機器の見込電力と電力計測装置で計測される電力の和が前記しきい値よりも少なく、且つ環境計測装置の計測値が当該環境調整機器で消費される電力を減らす向きに変化している場合に前記環境調整機器に対するデマンド制御を終了することを特徴とする。
【０００８】
請求項２の発明は、請求項１の発明において、環境調整機器として除霜機能を有する冷凍機を備え、デマンド制御装置の制御手段は、デマンド制御を実行している冷凍機が除霜機能を利用したときの電力の増加分と電力計測装置で計測される電力の和が前記しきい値よりも少なく、且つ環境計測装置の計測値が当該冷凍機で消費される電力を減らす向きに変化している場合に前記冷凍機に除霜機能を利用させることを特徴とする。
【０００９】
請求項３の発明は、請求項１又は２の発明において、環境調整機器として蓄熱型の温熱環境機器を備え、デマンド制御装置の制御手段は、環境計測装置の計測値が当該空調機器で消費される電力を増やす向きに変化している場合に前記空調機器に蓄熱されたエネルギを利用させることを特徴とする。
【００１０】
請求項４の発明は、請求項１〜３の何れか１項の発明において、予め決められた時刻に点灯／消灯するタイマ機能を有して屋外を照明する屋外照明機器を備え、デマンド制御装置の制御手段は、前記屋外照明機器がタイマ機能によって点灯したときの電力の増加分と電力計測装置で計測される電力の和が前記しきい値よりも少なく、且つ環境計測装置の計測値が環境調整機器で消費される電力を減らす向きに変化している場合に前記屋外照明機器にタイマ機能を利用させることを特徴とする。
【００１１】
請求項５の発明は、請求項４の発明において、デマンド制御装置の制御手段は、屋外照明機器にタイマ機能を利用させなかった場合にタイマ機能における点灯時刻を修正することを特徴とする。
【発明の効果】
【００１２】
本発明によれば、デマンド制御を終了したときに消費電力がしきい値を超えてしまったり、あるいはデマンド制御の終了と開始が短時間の間に繰り返されるといった不具合の発生を防ぐことができる。
【発明を実施するための最良の形態】
【００１３】
以下、本発明の技術思想を、生鮮食品を販売する店舗（コンビニエンス・ストアやスーパー・マーケットなど）に設置されたデマンド制御システムに適用した実施形態について、図面を参照して詳細に説明する。
【００１４】
本実施形態のデマンド制御システムは、屋内（店舗内）の環境を調整する複数の環境調整機器と、屋外の環境を計測する環境計測装置４と、環境調整機器が消費する電力を計測する電力計測装置５と、電力計測装置５で計測される電力に基づいて需要電力を予測し、当該需要電力が所定のしきい値を超えないように環境調整機器をデマンド制御するデマンド制御装置１とを備えている。本実施形態における環境調整機器は、店舗内の温湿度を調整する空調機器や冷凍食品の保存や陳列のための冷凍機などの温熱環境調整機器２と、店舗内を照明する屋内照明器具や店舗の外に設置された屋外照明器具などの照明機器３とからなる。但し、図１では温熱環境調整機器２並びに照明機器３を１台ずつしか図示していないが、実際にはそれぞれ複数台の温熱環境調整機器２並びに照明機器３が存在している。電力計測装置５は、環境調整機器（温熱環境調整機器２並びに照明機器３）によって消費される電力を含む店舗全体での消費電力を常時計測し、その計測値をデマンド制御装置１に出力している。環境計測装置４は、屋外の温熱環境（温湿度）を計測し、その計測値をデマンド制御装置１に出力している。
【００１５】
デマンド制御装置１は、ＣＰＵとその周辺回路（ＲＡＭ、ＲＯＭ、タイマなど）からなるハードウェアとＣＰＵで実行されるソフトウェアからなる制御部１０と、環境計測装置４が出力する屋外温熱環境の計測値及び電力計測装置５が出力する計測値（消費電力）がそれぞれ入力される計測値入力部１１と、後述するように制御部１０から出力される制御コマンドを温熱環境調整機器２並びに照明機器３に個別に送信する機器通信部１２と、電力計測装置５で計測される消費電力の３０分間毎の積算値を予測するとともに予測値が所定のしきい値を超えるか否かを判定するデマンド予測部１３と、書換可能な不揮発性の半導体メモリ（例えば、ＥＥＰＲＯＭ）からなる第１の記憶部１４及び第２の記憶部１５とを具備している。
【００１６】
デマンド予測部１３は、電力計測装置５でリアルタイムに計測される消費電力（需要電力）を積算し、当該積算値から３０分間の積算デマンド値を予測するとともに、その予測値がしきい値を超えるか否かの判定を行い、予測値がしきい値を超えると判定したときに制御部１０にデマンド警報を出力する。尚、しきい値は当該店舗の契約電力よりも低い値、例えば、契約電力の９５％の値に設定される。
【００１７】
制御部１０は、デマンド予測部１３から出力されるデマンド警報を受け取ると、何れかの環境調整機器に対してデマンド制御を実行することで需要電力の削減を図る。具体的には、環境調整機器を停止（あるいは消灯）するとか、それまでの運転（以下、「通常運転」と呼ぶ。）の状態よりも消費電力を減らすような運転、例えば、冷房運転中の空調機器の設定温度を高くしたり、照明器具の調光レベルを下げるといったようなことがデマンド制御として実行される
第１の記憶部１４は、図２に示すように、環境計測装置４の計測値（屋外の温度及び湿度からなる温熱環境データ）並びに電力計測装置５で計測される計測値（消費電力値）、デマンド予測部１３で求められた消費電力の積算値をそれぞれ計測された時刻に対応付けた履歴データベースを記憶している。尚、消費電力積算値は、分単位の消費電力の積算値を３０分で除算した値としている。また図示例では、各データの履歴が１分間隔で記憶されているが、消費電力積算値については毎時０分及び３０分に初期化される。
【００１８】
第２の記憶部１５は、図３に示すように、制御順位、復帰順位、機器名、現在状態、削減見込み電力の項目からなる制御・復帰データベースを記憶している。制御順位とは、デマンド警報を受け取ったときに制御部１０がデマンド制御の実行対象とする順番（優先度）を示しており、順位の高い（数字の小さい）環境調整機器から順番にデマンド制御の実行対象に選ばれることになる。復帰順位とは、デマンド制御が実行されている環境調整機器が複数あるときにデマンド制御を終了して通常運転に戻す順番（優先度）を示しており、順位の低い（数字の大きい）環境調整機器から順番にデマンド制御を終了して通常運転に復帰することになる。機器名は全ての環境調整機器（空調機器、冷凍機などの温熱環境調整機器２と、照明器具などの照明機器３）を識別するための名称であって、図示例では「照明器具１」，「照明器具２」，「空調機器１」，というように各種類毎に通し番号が付与されている。現在状態は、それぞれの環境調整機器がデマンド制御されている状態を「制御中」、デマンド制御されずに通常運転している状態が「通常運転中」として表されている。削減見込み電力とは、その環境調整機器をデマンド制御した場合に削減が見込まれる電力であって、図示例では分単位の消費電力を３０分で除算した値で表されている。尚、削減見込み電力は、例えば、直前３０分間の平均消費電力としてもよいし、あるいは、機器毎の消費電力を計測しないのであれば、当該機器の定格電力から算出するようにしても構わない。例えば、定格電力の５０％を削減見込み電力としてもよい。
【００１９】
次に、デマンド制御装置１の動作を説明する。デマンド予測部１３は、電力計測装置５でリアルタイムに計測される消費電力（需要電力）を積算し、当該積算値から３０分間の積算デマンド値を予測するとともに、その予測値がしきい値を超えるか否かの判定を行い、予測値がしきい値を超えると判定したときに制御部１０にデマンド警報を出力する。制御部１０は、デマンド予測部１３から出力されるデマンド警報を受け取ると、第２の記憶部１５に記憶されている制御・復帰データベースを参照し、制御順位の高い環境調整機器から順番に第何位の環境調整機器までをデマンド制御の対象とするかを決定する。すなわち、デマンド制御を実行したときの削減見込み電力が環境調整機器毎に異なっているので、それぞれの削減見込み電力の和がデマンド予測部１３の予測値としきい値との差よりも大きくなる範囲で最少となる台数の環境調整機器をデマンド制御の対象とすれば、需要電力がしきい値を超えることを防ぐことができる。制御部１０は、上述のようにして決定した１乃至複数台の環境調整機器をデマンド制御するための制御コマンド、例えは、当該環境調整機器を停止させる制御コマンドを生成して機器通信部１２から当該環境調整機器宛てに送信させる。そして、デマンド制御装置１から制御コマンドを受け取った環境調整機器が停止することにより、電力計測装置５で計測される消費電力が減少することになる。
【００２０】
さらに、何れかの温熱環境調整機器２がデマンド制御されている状況におけるデマンド制御装置１の動作を、図４のフローチャートを参照しながら説明する。
【００２１】
デマンド制御装置１では、環境計測装置４で１分ごとに計測される計測値（温熱環境データ）を計測値入力部１１に取り込み（ステップＳ１）、さらに電力計測装置５で同じく１分ごとに計測される計測値（消費電力データ）を計測値入力部１１に取り込み（ステップＳ２）、制御部１０がこれらのデータを計測された時刻ｔと対応付けて第１の記憶部１４の履歴データベースに書き込むとともに、時刻ｔにおける温熱環境データＡｔが所定の基準値を超えるか否か判断する（ステップＳ３）。温熱環境データＡｔが基準値を超える場合、制御部１０は、前回（時刻ｔ−１）の温熱環境データＡt-1と今回の温熱環境データＡｔを比較して温熱環境データＡｔが増加傾向にあるのか、減少傾向にあるのかを判断する（ステップＳ４）。
【００２２】
温熱環境データＡｔが増加傾向に有る場合、制御部１０は、温熱環境の変動値として、今回の温熱環境データＡｔと基準値との差ΔＡｔを求める（ステップＳ５）とともに、第１の記憶部１４に記憶されている履歴データベースを参照して変動値ΔＡｔに対応する消費電力の増加量を推定し（ステップＳ６）、さらに第２の記憶部１５に記憶されている制御・復帰データベースを参照して、削減見込み電力が推定した増加量以上となるように新たなデマンド制御対象の環境調整機器を決定する（ステップＳ７）。制御部１０は、上述のようにして追加決定した１乃至複数台の環境調整機器をデマンド制御するための制御コマンドを生成して機器通信部１２から当該環境調整機器宛てに送信させる。
【００２３】
一方、温熱環境データＡｔが減少傾向に有る場合、制御部１０は、今回の（時刻ｔにおける）消費電力Ｅｔと前回（時刻ｔ−１における）消費電力Ｅt-1を比較して消費電力Ｅｔが増加傾向にあるのか、減少傾向にあるのかを判断する（ステップＳ８）。消費電力Ｅｔが増加傾向にある場合、制御部１０は前回から今回への消費電力Ｅｔの増加分ΔＥｔ求めるとともに、第２の記憶部１５に記憶されている制御・復帰データベースを参照して、削減見込み電力が増加分ΔＥｔ以上となるように新たなデマンド制御対象の環境調整機器を決定する（ステップＳ９）。制御部１０は、上述のようにして追加決定した１乃至複数台の環境調整機器をデマンド制御するための制御コマンドを生成して機器通信部１２から当該環境調整機器宛てに送信させる。
【００２４】
また、時刻ｔにおける温熱環境データＡｔが基準値以下である場合、制御部１０は、前回（時刻ｔ−１）の温熱環境データＡt-1と今回の温熱環境データＡｔを比較して温熱環境データＡｔが増加傾向にあるのか、減少傾向にあるのかを判断する（ステップＳ１０）。減少傾向に有る場合、制御部１０は第２の記憶部１５に記憶されている制御・復帰データベースを参照し、現在状態が「制御中」である環境調整機器を通常運転に復帰したときに増加すると見込まれる消費電力（＝削減見込み電力）の総和を算出する（ステップＳ１１）。そして制御部１０は、復帰したときに増加が見込まれる電力（復帰時電力）Ｆｔと現在の消費電力の和がしきい値を下回るか否かを判断し（ステップＳ１２）、しきい値を超える場合は何れの環境調整機器も復帰させないが、しきい値を下回る場合、しきい値から復帰時電力Ｆｔと現在の消費電力の和を減算した値ΔＦｔを求めるとともに、第２の記憶部１５に記憶されている制御・復帰データベースを参照し、デマンド制御中の環境調整機器の中から削減見込み電力が前記値ΔＦｔを超えないようにデマンド制御を終了する環境調整機器を決定する（ステップＳ１３）。制御部１０は、上述のようにして決定した１乃至複数台の環境調整機器のデマンド制御を終了して通常運転に復帰させるための制御コマンドを生成して機器通信部１２から当該環境調整機器宛てに送信させる。そして、デマンド制御装置１から制御コマンドを受け取った環境調整機器が通常運転に復帰する。
【００２５】
上述のように本実施形態では、制御手段たる制御部１０は、デマンド制御を実行している環境調整機器の削減見込電力と電力計測装置５で計測される電力の和がしきい値よりも少なく、且つ環境計測装置４の計測値が環境調整機器で消費される電力を減らす向きに変化している場合に環境調整機器に対するデマンド制御を終了するので、デマンド制御を終了したときに消費電力がしきい値を超えてしまったり、あるいはデマンド制御の終了と開始が短時間の間に繰り返されるといった不具合の発生を防ぐことができる。
【００２６】
ところで、温熱環境調整機器２である冷凍機には、除霜機能を有するものがある。この種の除霜機能は、通常、冷凍機のコンプレッサを停止したり、あるいはコンプレッサを停止すると同時に霜が付着した箇所をヒータで加熱することで実現される。冷凍機が除霜機能を実現するための運転（除霜運転）を行っている場合、コンプレッサが停止することで消費電力が減少するから、他の環境調整機器に対するデマンド制御を終了することができるが、実際には除霜運転が終了した後、除霜運転で暖められた対象領域（冷凍庫など）を再度冷却するために多くの電力を消費することになる。故に、冷凍機の除霜運転終了後に増加する消費電力を考慮して環境調整機器に対するデマンド制御の終了を決定しなければならない。
【００２７】
図５は冷凍機の除霜運転を考慮した場合の動作を説明するためのフローチャートである。但し、ステップＳ１〜Ｓ１０までの処理は図４に示した基本動作と共通であるから説明は省略する。
【００２８】
時刻ｔにおける温熱環境データＡｔが基準値以下であり、且つ温熱環境データＡｔが減少傾向に有る場合、制御部１０は、第１の記憶部１４に記憶されている履歴データベースの冷凍機の削減見込み電力を参照し、冷凍機が除霜運転を終了した後に当該冷凍機の消費電力が増加する増分ΔＤを推定し（ステップＳ１４）、推定した増分ΔＤと現在の消費電力Ｅｔの和をしきい値と比較する（ステップＳ１５）。そして、増分ΔＤと現在の消費電力Ｅｔの和がしきい値を超えてしまう場合、制御部１０は、他の環境調整機器に対するデマンド制御を終了しないが、増分ΔＤと現在の消費電力Ｅｔの和がしきい値以下となる場合には除霜運転可能な冷凍機を決定して当該冷凍機に除霜運転を開始させるための制御コマンドを生成して機器通信部１２から当該冷凍機宛てに送信させる（ステップＳ１６）とともに、前記冷凍機が除霜運転を終了したときの増分ΔＤを現在の消費電力Ｅｔに加算することで他の環境調整機器のデマンド制御を終了しないように抑制する（ステップＳ１７）。さらに制御部１０は、第２の記憶部１５に記憶されている制御・復帰データベースを参照し、現在状態が「制御中」である環境調整機器を通常運転に復帰したときに増加すると見込まれる消費電力（＝削減見込み電力）の総和を算出する（ステップＳ１８）とともに、復帰したときに増加が見込まれる電力（復帰時電力）Ｆｔと現在の消費電力（実際は現在の消費電力に増分Ｄを加算した値）の和がしきい値を下回るか否かを判断する（ステップＳ１９）。しきい値を超える場合、制御部１０は何れの環境調整機器も復帰させないが、しきい値を下回る場合、制御部１０は、しきい値から復帰時電力Ｆｔと現在の消費電力の和を減算した値ΔＦｔを求めるとともに、第２の記憶部１５に記憶されている制御・復帰データベースを参照し、デマンド制御中の環境調整機器の中から削減見込み電力が前記値ΔＦｔを超えないようにデマンド制御を終了する環境調整機器を決定する（ステップＳ２０）。制御部１０は、上述のようにして決定した１乃至複数台の環境調整機器のデマンド制御を終了して通常運転に復帰させるための制御コマンドを生成して機器通信部１２から当該環境調整機器宛てに送信させる。そして、デマンド制御装置１から制御コマンドを受け取った環境調整機器が通常運転に復帰する。
【００２９】
ところで、温熱環境調整機器２には、深夜電力で生成した熱（湯あるいは氷）を蓄積（蓄熱）しておき、需要電力が増加する昼間に蓄熱した熱を放熱することで消費電力を削減しつつ所望の温熱環境に調整することができる蓄熱型の空調機器や冷凍機を含む場合が有る。次に、図６のフローチャートを参照して蓄熱型の温熱環境調整機器２（例えば、蓄熱型の空調機器）を備える場合の動作を説明する。但し、ステップＳ１〜Ｓ４，Ｓ８〜Ｓ１２の処理は図４に示した基本動作と共通であるから説明は省略する。
【００３０】
制御部１０は、温熱環境データＡｔが基準値を超えており（ステップＳ３）、且つ温熱環境データＡｔが増加傾向に有ると判断した場合（ステップＳ４）、需要電力がしきい値を上回る可能性が高いと考えられることから、蓄熱型の空調機器が既に放熱運転に移行しているか否かを制御・復帰データベースを参照して判断し（ステップＳ２１）、放熱運転に移行していなければ、放熱運転に移行させるための制御コマンドを生成して機器通信部１２から当該蓄熱型の空調機器宛てに送信させる（ステップＳ２２）。そして、デマンド制御装置１から制御コマンドを受け取った蓄熱型の空調機器が通常運転から放熱運転に移行する。
【００３１】
続いて、制御部１０は、温熱環境の変動値として、今回の温熱環境データＡｔと基準値との差ΔＡｔを求める（ステップＳ２３）とともに、第１の記憶部１４に記憶されている履歴データベースを参照して変動値ΔＡｔに対応する消費電力の増加量を推定し（ステップＳ２４）、さらに第２の記憶部１５に記憶されている制御・復帰データベースを参照して、削減見込み電力が推定した増加量以上となるように新たなデマンド制御対象の環境調整機器を決定する（ステップＳ２５）。制御部１０は、上述のようにして追加決定した１乃至複数台の環境調整機器をデマンド制御するための制御コマンドを生成して機器通信部１２から当該環境調整機器宛てに送信させる。
【００３２】
最後に、照明機器３としてタイマ制御される屋外照明器具を備える場合の動作について、図７のフローチャートを参照して説明する。但し、ステップＳ１〜Ｓ１０の処理は図４に示した基本動作と共通であるから説明は省略する。
【００３３】
時刻ｔにおける温熱環境データＡｔが基準値以下であり（ステップＳ３）、且つ温熱環境データＡｔが減少傾向に有る場合（ステップＳ１０）、制御部１０は、屋外照明器具がタイマ制御によってオン（点灯）しているか否かを判断し（ステップＳ２６）、オンしていないときは、第２の記憶部１５に記憶されている制御・復帰データベースを参照し、現在状態が「制御中」である環境調整機器を通常運転に復帰したときに増加すると見込まれる消費電力（＝削減見込み電力）の総和を算出する（ステップＳ２７）。そして制御部１０は、復帰したときに増加が見込まれる電力（復帰時電力）Ｆｔと現在の消費電力の和がしきい値を下回るか否かを判断し（ステップＳ２８）、しきい値を超える場合は何れの環境調整機器も復帰させないが、しきい値を下回る場合、しきい値から復帰時電力Ｆｔと現在の消費電力の和を減算した値ΔＦｔを求めるとともに、第２の記憶部１５に記憶されている制御・復帰データベースを参照し、デマンド制御中の環境調整機器の中から削減見込み電力が前記値ΔＦｔを超えないようにデマンド制御を終了する環境調整機器を決定する（ステップＳ２９）。制御部１０は、上述のようにして決定した１乃至複数台の環境調整機器のデマンド制御を終了して通常運転に復帰させるための制御コマンドを生成して機器通信部１２から当該環境調整機器宛てに送信させる。そして、デマンド制御装置１から制御コマンドを受け取った環境調整機器が通常運転に復帰する。
【００３４】
一方、屋外照明器具がタイマ制御によってオンする時刻になっている場合、制御部１０は、第１の記憶部１４に記憶されている履歴データベースの削減見込み電力を参照し、屋外照明器具が点灯した場合の消費電力の増分を推定し（ステップＳ３０）、推定した増分と現在の消費電力の和をしきい値と比較し（ステップＳ３１）、しきい値以下であれば、制御コマンドを生成して屋外照明器具を直ちにオン（点灯）させる（ステップＳ３１）。しかしながら、推定した増分と現在の消費電力の和をしきい値を超えてしまう場合、制御部１０は、例えば、予め決められた一定時間だけ遅らせるようにタイマ制御の時刻を変更する（ステップＳ３２）。
【図面の簡単な説明】
【００３５】
【図１】本発明の実施形態を示すシステム構成図である。
【図２】同上における履歴データベースの説明図である。
【図３】同上における制御・復帰データベースの説明図である。
【図４】同上の動作説明用のフローチャートである。
【図５】同上の冷凍機の除霜運転を含む場合の動作説明用のフローチャートである。
【図６】同上の蓄熱型の温熱環境調整機器を含む場合の動作説明用のフローチャートである。
【図７】同上のタイマ制御される屋外照明器具を含む場合の動作説明用のフローチャートである。
【符号の説明】
【００３６】
１  デマンド制御装置
２  温熱環境調整機器（環境調整機器）
３  照明機器（環境調整機器）
４  環境計測装置
５  電力計測装置
１０  制御部（制御手段）
１３  デマンド予測部（予測手段）
１４  第１の記憶部（第１の記憶手段）
１５  第２の記憶部（第２の記憶手段）
【図１】
2009225629.tif 000003
【図２】
2009225629.tif 000004
【図３】
2009225629.tif 000005
【図４】
2009225629.tif 000006
【図５】
2009225629.tif 000007
【図６】
2009225629.tif 000008
【図７】
2009225629.tif 000009